【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
イメージングゾーンから予備的磁気共鳴データを獲得するための磁気共鳴イメージングシステムであって、
前記磁気共鳴イメージングシステムが、
マシン実行可能命令と準備パルスシーケンスコマンドとを記憶するためのメモリであって、前記準備パルスシーケンスコマンドが、第１のデータ部分及び第２のデータ部分として前記予備的磁気共鳴データを獲得し、前記準備パルスシーケンスコマンドが、前記第１のデータ部分の獲得中に第１の双極読み取り勾配を生成するように前記磁気共鳴イメージングシステムを制御し、前記準備パルスシーケンスコマンドが、前記第２のデータ部分の獲得中に第２の双極読み取り勾配を生成するように前記磁気共鳴イメージングシステムを制御し、前記第１の双極読み取り勾配が、前記第２の双極読み取り勾配に対して逆極性をもつ、メモリと、
前記磁気共鳴イメージングシステムを制御するためのプロセッサであって、前記マシン実行可能命令の実行が、前記プロセッサに、
前記第１のデータ部分と前記第２のデータ部分とを獲得するように前記準備パルスシーケンスコマンドを使用して前記磁気共鳴イメージングシステムを制御することと、
前記第１のデータ部分と前記第２のデータ部分とを使用して画像空間におけるデータ部分における位相誤差を表す測定された正規化位相補正量を計算することと、
モデル化された位相補正を前記測定された正規化位相補正量にフィッティングすることであって、前記モデル化された位相補正が、所定の空間依存した位相誤差関数のフェーザーである、フィッティングすることと、
を行わせる、プロセッサと、
を備える、磁気共鳴イメージングシステム。
【請求項２】
前記マシン実行可能命令の実行が、前記プロセッサに、
前記第１のデータ部分を使用して、測定された第１の位相画像データを再構成することと、
前記第２のデータ部分を使用して、測定された第２の位相画像データを再構成することと、
を行わせ、
前記測定された第１の位相画像データが、補正された第１の位相画像データに、測定された前記位相誤差を乗じたものに等しく、前記測定された第２の位相画像データが、補正された第２の位相画像データに、測定された前記位相誤差の複素共役を乗じたものに等しく、測定された正規化位相補正量が、前記測定された第１の位相画像データ、及び、前記測定された第２の位相画像データ、及び、前記フィッティングによりもたらされる位相補正から計算される、
請求項１に記載の磁気共鳴イメージングシステム。
【請求項３】
前記磁気共鳴イメージングシステムが、前記予備的磁気共鳴データを受信するための複数のチャネルを備える複数チャネルＲＦシステムを備え、前記測定された正規化位相補正量が、前記複数のチャネルの各々の平均から計算される、
請求項２に記載の磁気共鳴イメージングシステム。
【請求項４】
前記マシン実行可能命令の実行が、更に、前記プロセッサに、
前記第１のデータ部分を使用して第１の位相画像を再構成することと、
前記第２のデータ部分を使用して第２の位相画像を再構成することと、
を行わせ、
前記測定された正規化位相補正量が、前記第１の位相画像と前記第２の位相画像とを使用して計算される、
請求項１に記載の磁気共鳴イメージングシステム。
【請求項５】
前記磁気共鳴イメージングシステムが、複数の受信チャネルを使用して前記磁気共鳴イメージングシステムを受信するための複数のチャネルを備える複数チャネルＲＦシステムを備え、前記マシン実行可能命令の実行が、更に、前記プロセッサに、
前記複数のチャネルの各々に対して前記第１のデータ部分を使用して第１の位相画像を再構成することと、
前記複数のチャネルの各々に対して前記第２のデータ部分を使用して第２の位相画像を再構成することと、
前記複数のチャネルの各々に対して前記第１の位相画像と前記第２の位相画像とを使用してチャネル正規化位相補正量を計算することと、
を行わせ、
前記測定された正規化位相補正量が、前記複数のチャネルの各々に対して前記チャネル正規化位相補正量形態の平均を使用して計算される、
請求項１に記載の磁気共鳴イメージングシステム。
【請求項６】
前記メモリが、イメージング磁気共鳴コマンドを更に含み、イメージングパルスシーケンスコマンドが、Ｄｉｘｏｎ磁気共鳴イメージングプロトコルに従ってイメージング磁気共鳴データを獲得し、前記マシン実行可能命令の実行が、更に、前記プロセッサに、前記イメージングパルスシーケンスコマンドを使用してイメージング磁気共鳴データを獲得させ、前記マシン実行可能命令の実行が、更に、前記プロセッサに、前記イメージング磁気共鳴データを使用して前記Ｄｉｘｏｎ磁気共鳴イメージングプロトコルに従って少なくとも水画像と脂肪画像とを再構成させ、前記水画像と前記脂肪画像とを再構成することが、位相誤差関数を使用して前記位相補正を計算することを有する、
請求項１から請求項５のいずれか一項に記載の磁気共鳴イメージングシステム。
【請求項７】
前記メモリが、イメージング磁気共鳴コマンドを更に含み、イメージングパルスシーケンスコマンドが、エコープラナーイメージング磁気共鳴イメージングプロトコル又は拡散重み付けイメージング磁気共鳴イメージングプロトコルに従ってイメージング磁気共鳴データを獲得し、前記マシン実行可能命令の実行が、更に、前記プロセッサに、前記イメージング磁気共鳴データを使用して磁気共鳴画像を再構成させ、前記磁気共鳴画像を再構成することが、位相誤差関数を使用して位相補正を計算することを有する、
請求項１から請求項５のいずれか一項に記載の磁気共鳴イメージングシステム。
【請求項８】
前記双極読み取り勾配が、複数回にわたる読み取り勾配の第１の極性部分と読み取り勾配の第２の極性部分とを含むパルス列を含み、前記位相誤差関数が、前記パルス列にわたる平均として計算される、
請求項１から請求項７のいずれか一項に記載の磁気共鳴イメージングシステム。
【請求項９】
前記位相誤差関数が実数値であり、前記位相誤差関数が連続している、
請求項１から請求項８のいずれか一項に記載の磁気共鳴イメージングシステム。
【請求項１０】
前記位相誤差関数が、連続した一次導関数をもつ、
請求項９に記載の磁気共鳴イメージングシステム。
【請求項１１】
前記位相誤差関数が、多項式関数である、
請求項１から請求項１０のいずれか一項に記載の磁気共鳴イメージングシステム。
【請求項１２】
前記準備パルスシーケンスコマンドが、前記磁気共鳴イメージングシステムに読み取り方向における前記双極読み取り勾配を生成させ、前記位相誤差関数が、少なくとも前記読み取り方向の関数として計算される、
請求項１から請求項１１のいずれか一項に記載の磁気共鳴イメージングシステム。
【請求項１３】
前記位相誤差関数が、多次元関数である、
請求項１から請求項１２のいずれか一項に記載の磁気共鳴イメージングシステム。
【請求項１４】
イメージングゾーンから予備的磁気共鳴データを獲得するために磁気共鳴イメージングシステムを動作させる方法であって、
前記方法が、
前記予備的磁気共鳴データの第１のデータ部分と前記予備的磁気共鳴データの第２のデータ部分とを獲得するように準備パルスシーケンスコマンドを使用して前記磁気共鳴イメージングシステムを制御するステップであって、前記準備パルスシーケンスコマンドが、前記第１のデータ部分の獲得中に第１の双極読み取り勾配を生成するように前記磁気共鳴イメージングシステムを制御し、前記準備パルスシーケンスコマンドが、前記第１のデータ部分の獲得中に第２の双極読み取り勾配を生成するように前記磁気共鳴イメージングシステムを制御し、前記第１の双極読み取り勾配が、前記第２の双極読み取り勾配に対して逆極性をもつ、制御するステップと、
前記第１のデータ部分と前記第２のデータ部分とを使用して画像空間における測定された正規化位相補正量を計算するステップと、
モデル化された正規化位相補正量を測定された位相誤差にフィッティングするステップであって、前記モデル化された正規化位相補正量が、複素数値に位相誤差関数を乗じたものの指数関数であり、前記位相誤差関数が、空間依存する、フィッティングするステップと、を有する、
方法。
【請求項１５】
イメージングゾーンから予備的磁気共鳴データを獲得するように磁気共鳴イメージングシステムを制御するプロセッサによる実行のためのマシン実行可能命令を含むコンピュータプログラムであって、前記マシン実行可能命令の実行が、プロセッサに、
前記予備的磁気共鳴データの第１のデータ部分と前記予備的磁気共鳴データの第２のデータ部分とを獲得するように準備パルスシーケンスコマンドを使用して前記磁気共鳴イメージングシステムを制御することであって、前記準備パルスシーケンスコマンドが、前記第１のデータ部分の獲得中に第１の双極読み取り勾配を生成するように前記磁気共鳴イメージングシステムを制御し、前記準備パルスシーケンスコマンドが、前記第２のデータ部分の獲得中に第２の双極読み取り勾配を生成するように前記磁気共鳴イメージングシステムを制御し、前記第１の双極読み取り勾配が、前記第２の双極読み取り勾配に対して逆極性をもつ、制御することと、
前記第１のデータ部分と前記第２のデータ部分とを使用して画像空間における測定された正規化位相補正量を計算することと、
モデル化された位相補正を測定された位相誤差にフィッティングすることであって、前記モデル化された位相補正が、複素数値に位相誤差関数を乗じたものの指数関数であり、前記位相誤差関数が、空間依存する、フィッティングすることと、
を行わせる、
コンピュータプログラム。
【手続補正２】
【補正対象書類名】明細書
【補正対象項目名】００５２
【補正方法】変更
【補正の内容】
【００５２】
コンピュータ実行可能コードは、本発明の態様をプロセッサに行わせるマシン実行可能命令又はプログラムを含んでもよい。本発明の態様に関する動作を実施するためのコンピュータ実行可能コードは、Ｊａｖａ（登録商標）、Ｓｍａｌｌｔａｌｋ（登録商標）、又はＣ＋＋等のオブジェクト指向プログラミング言語及びＣプログラミング言語又は類似のプログラミング言語等の従来の手続きプログラミング言語を含む１つ又は複数のプログラミング言語の任意の組み合わせで書かれてもよい及びマシン実行可能命令にコンパイルされてもよい。場合によっては、コンピュータ実行可能コードは、高水準言語の形態又は事前コンパイル形態でもよい及び臨機応変にマシン実行可能命令を生成するインタプリタと共に使用されてもよい。